(57)【要約】【課題】  サドル部全体を十分な押し付け力でリブパイプ外周面に押し付けることができ、リブパイプと分岐管継手とを確実に接合することができる構造を有するリブパイプ用分岐管継手を提供する。【解決手段】  リブパイプ２１の外周面に接合されるサドル部１２と、該サドル部１２から突出した受口１３とを有するリブパイプ用分岐管継手１１であって、サドル部１２の内周面にリブパイプ２１の外周面に設けられている凹凸形状に対応した凹凸形状を形成するとともに、サドル部１２の両開放端部１４の外面に、リブパイプ２１のサドル部装着側反対面２４を通るサドル部押し付け用の締付具３１の両先端部を係止する一対の係止部１５ａ，１５ｂ，１５ｃを、サドル部軸線方向に少なくとも一組設ける。【選択図】  図１
2006105289.tif 000002
【特許請求の範囲】
【請求項１】
リブパイプの外周面に接合されるサドル部と、該サドル部から突出した分岐管接続部とを有する分岐管継手において、前記サドル部の内周面に前記リブパイプの外周面に設けられている凹凸形状に対応した凹凸形状を形成するとともに、該サドル部の両開放端部外面に、前記リブパイプのサドル部装着側反対面を通るサドル部押し付け用の締付具の両先端部をそれぞれ係止する一対の係止部を、サドル部軸線方向に少なくとも一組設けたことを特徴とするリブパイプ用分岐管継手。
【請求項２】
前記係止部の少なくとも一組は、サドル部の軸線方向中央部分に設けられていることを特徴とする請求項１記載のリブパイプ用分岐管継手。
【発明の詳細な説明】
【技術分野】
【０００１】
本発明は、リブパイプ用分岐管継手に関し、詳しくは、下水道用に多用されているリブパイプの側方に分岐管を接続するためのリブパイプ用分岐管継手に関する。
【背景技術】
【０００２】
リブパイプに分岐管を接続する分岐管継手は、一般に、リブパイプの外周面に接合されるサドル部と、該サドル部から突出した分岐管接続部、例えば受口とを有している。このような分岐管継手をリブパイプに取り付ける方法としては、両者の接合面に接着剤を塗布し、リブパイプの所定位置に分岐管継手を設置した後、サドル部外周面からリブパイプのサドル部装着側反対面を通してバンドや番線からなる締付具を巻回し、該締付具によってリブパイプと分岐管継手とを固定するようにしていた（例えば、特許文献１参照。）。
【特許文献１】特開２００１−２４８７７９号公報（第４頁、第７図ｂ）
【発明の開示】
【発明が解決しようとする課題】
【０００３】
しかし、前記締付具を用いた固定方法では、リブパイプ及びサドル部の全周に締付具を巻き付ける作業が面倒であり、サドル部の上部等に隙間が発生してしまうことがあった。また、受口が突出したサドル部中央部分には締付具を巻回できず、サドル部の両端部２箇所を締付具で固定した状態になるため、サドル部中央の受口周辺部での押し付け力が不十分となることがあった。
【０００４】
そこで本発明は、サドル部全体を十分な押し付け力でリブパイプ外周面に押し付けることができ、リブパイプと分岐管継手とを確実に接合することができる構造を有するリブパイプ用分岐管継手を提供することを目的としている。
【課題を解決するための手段】
【０００５】
上記目的を達成するため、本発明のリブパイプ用分岐管継手は、リブパイプの外周面に接合されるサドル部と、該サドル部から突出した分岐管接続部とを有する分岐管継手において、前記サドル部の内周面に前記リブパイプの外周面に設けられている凹凸形状に対応した凹凸形状を形成するとともに、該サドル部の両開放端部外面に、前記リブパイプのサドル部装着側反対面を通るサドル部押し付け用の締付具の両先端部をそれぞれ係止する一対の係止部を、サドル部軸線方向に少なくとも一組設けたことを特徴とし、特に、前記係止部の少なくとも一組は、サドル部の軸線方向中央部分に設けられていることを特徴としている。
【発明の効果】
【０００６】
本発明のリブパイプ用分岐管継手によれば、係止部を利用して締付具を装着するので、締付具を容易にかつ確実に装着することができ、締付具装着作業の効率が向上するとともに、サドル部をリブパイプに確実に押し付けて固定することができる。また、リブパイプ半周分の長さの締付具を使用することができるので、締付具のコスト削減も図れる。特に、サドル部の中央部分にも係止部を設けることにより、サドル部中央の分岐管接続部の周辺部も十分な押し付け力でリブパイプに押し付けることができるので、リブパイプとサドル部との間の水密性も向上する。
【発明を実施するための最良の形態】
【０００７】
図１乃至図５は、本発明のリブパイプ用分岐管継手の一形態例を示すもので、図１はリブパイプ用分岐管継手をリブパイプに接合した状態を示す一部断面正面図、図２はリブパイプ用分岐管継手の一部断面正面図、図３は同じく平面図、図４は同じく側面図、図５は他の締付具を使用した例を示す要部の一部断面正面図である。また、図６は係止部の他の形状例を示す要部の側面図である。
【０００８】
リブパイプ用分岐管継手１１は、リブパイプ２１の外周面に接合されるサドル部１２と、該サドル部１２の中央部から突出した分岐管接続部である受口１３とを有している。サドル部１２は、リブパイプ２１の外周の略半周分の円弧面を有しており、その内周面には、リブパイプ２１の外周面に設けられているリブ２２による凹凸形状に対応した凹凸形状が形成されている。
【０００９】
さらに、前記サドル部１２の両側の開放端部１４，１４の外面には、各一対の係止部１５ａ，１５ｂ，１５ｃがサドル部軸線方向に３組設けられている。一組の係止部１５ａは、サドル部１２の軸線方向の中央部分、すなわち、受口１３の軸線に対応した部分に設けられており、他の二組の係止部１５ｂ，１５ｃは、サドル部１２の両端部近傍にそれぞれ設けられている。各係止部１５ａ，１５ｂ，１５ｃは、サドル部１２の外面から法線方向に突出した基部１６ａ、該基部１６ａの先端から受口１３の突出方向に向かって突出した鉤状部１６ｂとで形成されており、サドル部１２をリブパイプ２１の外周面に押し付けるための締付具３１の先端を鉤状部１６ｂに係止できる形状となっている。
【００１０】
リブパイプ２１にリブパイプ用分岐管継手１１を接合する際には、まず、両者の接合面に接着剤を塗布し、リブパイプ２１に形成した開口２３に受口１３を対応させるとともに、両者の凹凸形状をかみ合わせた状態でサドル部１２をリブパイプ２１の外周面に押し付ける。そして、リブパイプ２１のサドル部装着側反対面２４を通した締付具３１を、各係止部１５ａ，１５ｂ，１５ｃ間にそれぞれ掛け渡して締め付ける。
【００１１】
このとき、図１に示すように、締付具３１として番線を使用する場合でも、従来のように番線の両端部を撚り併せるようにして締め付けるのに比べて、確実に隙間無く締め付けることができる。さらに、係止部１５ａによってサドル部１２の中央部分も締め付けることができるので、サドル部１２の全体をリブパイプ２１の外周面に確実に押し付けることができ、接合強度の向上や水密性の向上を図ることができる。また、図５に示すように、締付具として締付用のバンド３２を使用した場合でも、バンド先端の掛金３２ａを各係止部１５ａ（１５ｂ，１５ｃ）にそれぞれ係止させるだけで十分な締め付け力を得ることができる。
【００１２】
なお、係止部の形状は、リブパイプのサドル部装着側反対面を通した締付具の先端を係止できれば任意の形状とすることができ、例えば、図６に示すように、サドル部１２外面の周方向に前記リブに対応して設けられている突条部１７の開放端部１４近傍に、受口突出方向が開口した切込部１８を形成し、この切込部１８を係止部とすることもできる。
【００１３】
また、係止部の位置や設置数は、リブパイプや受口の口径に応じて適当に設定することができ、リブパイプや受口が小口径の場合には、サドル部中央部分の一箇所に一対の係止部を設けるだけでもよく、サドル部両端部近傍のみ、あるいは、受口両側部分にのみの２箇所に係止部をそれぞれ設けるようにしてもよい。さらに、リブパイプや受口が大口径の場合には、サドル部中央部分の複数箇所に係止部を設けることもできる。さらに、分岐管接続部の形状は任意である。
【図面の簡単な説明】
【００１４】
【図１】本発明のリブパイプ用分岐管継手をリブパイプに接合した一形態例を示す一部断面正面図である。
【図２】リブパイプ用分岐管継手の一部断面正面図である。
【図３】同じく平面図である。
【図４】同じく側面図である。
【図５】他の締付具を使用した例を示す要部の一部断面正面図である。
【図６】係止部の他の形状例を示す要部の側面図である。
【符号の説明】
【００１５】
１１…リブパイプ用分岐管継手、１２…サドル部、１３…受口、１４…開放端部、１５ａ，１５ｂ，１５ｃ…係止部、１６ａ…基部、１６ｂ…鉤状部、１７…突条部、１８…切込部、２１…リブパイプ、２２…リブ、２３…開口、２４…サドル部装着側反対面、３１…締付具、３２…バンド、３２ａ…掛金
【図１】
2006105289.tif 000003
【図２】
2006105289.tif 000004
【図３】
2006105289.tif 000005
【図４】
2006105289.tif 000006
【図５】
2006105289.tif 000007
【図６】
2006105289.tif 000008